(57)【要約】【課題】本体側に設けられた収容ケース部の側面壁に溢水用の切り欠きを設ける際、この切り欠きを小さく設けることができる飲料抽出装置を提供する。【解決手段】飲料抽出用の原水を補給される水タンク７と、この水タンク７が着脱自在に格納され、本体側に設けられる収容ケース部８とを備え、この収容ケース部８に上記水タンク７が格納された状態で、上記水タンク７から収容ケース部内に溢れた原水を、上記収容ケース部８の側面壁９に設けられた切り欠き１９から収容ケース部外へ溢水する飲料抽出装置において、上記切り欠き１９の上端１９ａよりも低位置で、収容ケース部内に溢れた原水を上記水タンク７と上記収容ケース部８の側面壁間の隙間２２に流下させ、この隙間２２を流れ落ちた原水を収容ケース部外へ排水する水抜き孔２６を設けた構成とした。【選択図】図１
2005329034.tif 000002
【特許請求の範囲】
【請求項１】
飲料抽出用の原水を補給される水タンクと、この水タンクが着脱自在に格納され、本体側に設けられる収容ケース部とを備え、この収容ケース部に上記水タンクが格納された状態で、上記水タンクから収容ケース部内に溢れた原水を、上記収容ケース部の側面壁に設けられた切り欠きから収容ケース部外へ溢水する飲料抽出装置において、上記切り欠きの上端よりも低位置で、収容ケース部内に溢れた原水を上記水タンクと上記収容ケース部の側面壁間の隙間に流下させ、この隙間を流れ落ちた原水を収容ケース部外へ排出する水抜き孔を設けたことを特徴とする飲料抽出装置。
【請求項２】
上記隙間を上記水タンクの側面に設けたことを特徴とする請求項１に記載の飲料抽出装置。
【請求項３】
上記水抜き孔を上記収容ケース部の底に設けたことを特徴とする請求項１または２に記載の飲料抽出装置。
【発明の詳細な説明】
【技術分野】
【０００１】
この発明は、ドリップ式のコーヒーメーカーなど、飲料抽出用の原水を補給される水タンクと、この水タンクが着脱自在に格納され、本体側に設けられる収容ケース部とを備えた飲料抽出装置に関し、より詳しくは、溢水構造に特徴を有するものに関する。
【背景技術】
【０００２】
一般に、上記のような飲料抽出装置は、上記水タンクから供給された原水を電熱ヒータで加熱するようになっており、装置外面に操作スイッチやソケット部などの充電部が設けられている。このような充電部を有する飲料抽出装置では、安全上、上記水タンクの原水がオーバーフローした際に、収容ケース部内に溢れた原水が上記充電部を濡らさないようにするため、上記収容ケース部に溢水構造が設けられている。
【０００３】
例えば、従来から、上記収容ケース部に上記水タンクが格納された状態で、上記水タンクから収容ケース部内に溢れた原水を、上記収容ケース部の側面壁に設けられた切り欠きから収容ケース部外へ溢水する構造を備えたものがある。
【０００４】
この溢水構造の設計に当っては、上記充電部の上方から外れた位置に上記切り欠きを設け、上記切り欠きのみから溢水するように設けることが望まれる。
【発明の開示】
【発明が解決しようとする課題】
【０００５】
しかしながら、上記のような溢水構造では、上記水タンクの容量が少ないほど毎分当りの溢水量が増大するため、飲料抽出装置のコンパクト化を図りながら上記の要求を満たそうとすると、上記切り欠きを大きく設ける必要がある。このため、上記のような溢水構造を備える飲料抽出装置は、コンパクト化を図るほど、上記切り欠きが外観上目立つようになり、見映えが著しく損なわれるという問題があった。
【０００６】
そこで、この発明の課題は、本体側に設けられた収容ケース部の側面壁に溢水用の切り欠きを設ける際、この切り欠きを小さく設けることができる飲料抽出装置を提供することである。
【課題を解決するための手段】
【０００７】
上記の課題を解決するための手段として、この発明は、飲料抽出用の原水を補給される水タンクと、この水タンクが着脱自在に格納され、本体側に設けられる収容ケース部とを備え、この収容ケース部に上記水タンクが格納された状態で、上記水タンクから収容ケース部内に溢れた原水を、上記収容ケース部の側面壁に設けられた切り欠きから収容ケース部外へ溢水する飲料抽出装置において、上記切り欠きの上端よりも低位置で、収容ケース部内に溢れた原水を上記水タンクと上記収容ケース部の側面壁間の隙間に流下させ、この隙間を流れ落ちた原水を収容ケース部外へ排水する水抜き孔を設けた構成とした。
【０００８】
上記構成によれば、上記切り欠きの上端よりも低位置で、収容ケース部内に溢れた原水を上記水タンクと上記収容ケース部の側面壁間の隙間に流下させるので、収容ケース部内に溢れた原水の水位が切り欠き上端を越える前に、一部が上記隙間を流れ落ちるようになる。そして、流れ落ちた原水を収容ケース部外へ排水する水抜き孔を設けたので、収容ケース部内に溢れた原水が上記切り欠きと上記水抜き孔とから外部に溢れ出るようになる。これにより、この発明の飲料抽出装置では、上記水抜き孔から溢れ出る流量に応じた分だけ、上記切り欠きを小さくすることが可能になる。
【０００９】
この発明においては、上記隙間を上記水タンクの側面に設けることが好ましい。この構成によれば、上記隙間には、収容ケース部内に溢れた原水が上記水タンクの側面壁から上記水抜き孔へ流れ落ちるようになり、上記水抜き孔から溢れ出す流量を増やすことができる。
【００１０】
また、この発明においては、上記水抜き孔を上記収容ケース部の底に設けることも好ましい。この構成によれば、上記水タンクと上記隙間が深さ方向に効率よく利用されるため、上記隙間には、より多くの原水が流れ落ちるようになり、上記水抜き孔から溢れ出す流量を増やすことができる。
【発明の効果】
【００１１】
上述のように、この発明によれば、本体側に設けられた収容ケース部の側面壁に溢水用の切り欠きを設ける際、この切り欠きを小さく設けることができる飲料抽出装置を提供することができる。
【発明を実施するための最良の形態】
【００１２】
以下、この発明を実施するための最良の形態を添付図面に基づいて説明する。
【００１３】
図１、図２に示すように、飲料抽出装置１は、飲料抽出用の原水を溜めるためのタンク部２と、ドリップ湯の吐出口３へ至る給水路４を加熱する電熱ヒータ５と、給水路４および電熱ヒータ５を内蔵した本体ケース６とを備える家庭用のドリップ式コーヒーメーカーである。
【００１４】
図３、図４に示すように、タンク部２は、飲料抽出用の原水を補給される水タンク７と、本体ケース６側に設けられる収容ケース部８とを備える。
【００１５】
収容ケース部８は、その側面壁（以下、ケース側面壁９という）が略扇形の一様横断面を呈する有底筒状の部分に水タンク７が着脱自在に格納される。収容ケース部８のケース底１０の中央部分には、給水路４の導入口部材１１が取り付けられている。導入口部材１１には、水タンク７のタンク底１２に取り付けられた弁１３が挿入される。この挿入状態において、弁１３は導入口部材１１内に設けられた弁操作部１１ａによって開弁され、水タンク内の原水が給水路４に流れる。
【００１６】
ケース底１０には、複数のボス部１４が形成されており、本体ケース６に設けられた固定座部６ａの上面には、各ボス部１４と対応させてボス受孔１５が形成されている。収容ケース部８が固定座部６ａに載置された状態において、各ボス部１４は、ボス受孔１５に挿入され、ボス受孔１５を介して本体ケース６にビス止めされる。収容ケース部８は、各ボス部１４をビス止めすることにより、本体ケース６に設置される。
【００１７】
図１、図３に示すように、収容ケース部８の上縁は、ケース側面壁９の上縁（以下、ケース上縁１６という）からなる。飲料抽出装置１の周方向において、装置正面に設けられた操作スイッチ１７と、装置背面に設けられたソケット１８との間に位置するケース上縁１６部分には、落差を付けた切り欠き１９が形成され、他の上縁部分は水平に形成されている。切り欠き１９は、水タンク７から収容ケース部内に溢れた原水を収容ケース部外へ溢水すると共に、この溢水の際、操作スイッチ１７とソケット１８とが濡れないように設けられている。なお、ケース上縁１６には、収容ケース部８の上面と、切り欠き１９とを覆う天蓋２０が着脱自在に装着される。
【００１８】
一方、水タンク７は、上面開口の有底筒状に形成され、収容ケース部８に格納された状態で、図５に示すように、その側面壁（以下、タンク側面壁２１という）とケース側面壁９との間に、水タンク７の側面全周に亘って隙間２２が生じるように設けられている。水タンク７の上縁は、タンク側面壁２１の上縁（以下、タンク上縁２３という）からなり、水タンク７が収容ケース部８に格納された状態で、切り欠き１９の上端１９ａよりも低位置となるように設けられている。
【００１９】
また、タンク上縁２３には、タンク側面壁２１の一部を切り欠いて落差を付けた溢水部２４が形成されている。溢水部２４は、水タンク７が収容ケース部８に格納された状態で、切り欠き１９と一致するように設けられている。なお、タンク上縁２３の溢水部２４以外の部分は水平に形成されている。
【００２０】
上述のように飲料抽出装置１は、水タンク７が収容ケース部８に格納された状態で、タンク上縁２３が、ケース上縁１６よりも低位置となるように設けられ、かつ、切り欠き１９の上端１９ａよりも低位置となるように設けられている。これにより、飲料抽出装置１は、切り欠き１９の上端１９ａよりも低位置で、収容ケース部内に溢れた原水がタンク側面壁２１とケース側面壁９との間の隙間２２に流下するようになる。
【００２１】
なお、タンク上縁２３は、全周をケース上縁１６よりも低位置に設ける必要はなく、また、水平に設ける必要もない。例えば、この実施形態では、タンク上縁２３の一部に、水タンク７の着脱を行う際に用いる摘み２５がケース上縁１６よりも上方に突設されている。要は、収容ケース部８の内部に溢れた原水の水位が切り欠き１９の上端１９ａを越える前に、その一部が隙間２２を流れ落ちるようにし、かつ、ケース上縁１６において切り欠き１９以外から溢水しないように設ければよい。
【００２２】
収容ケース部８には、ケース底１０の内面に、隙間２２を流れ落ちた原水を収容ケース部外へ排水する水抜き孔２６が設けられている。水抜き孔２６は、固定座部６ａに形成された溢水路２７と連通されている。これにより、飲料抽出装置１は、水タンク７の溢水部２４を介して切り欠き１９から溢水すると共に、水抜き孔２６からも溢水するものとなる。
【００２３】
なお、飲料抽出装置１では、溢水部２４を介して切り欠き１９から溢水するため、溢水部２４と切り欠き１９との間の隙間２２ａからは、特に多くの原水が流下する。そこで、水抜き孔２６は、切り欠き１９の直下に設けられている。これにより、飲料抽出装置１は、隙間２２ａからケース底１０に流れ落ちた原水がそのまま水抜き孔２６に流れ落ちるので、収容ケース部８から原水が円滑に排水されるようになる。
【００２４】
また、水タンク７の収容状態を安定させるため、タンク底１２の下面周縁には、水タンク７の垂直荷重を支持するリブ２８が、環状に設けられている。ここで、図４に示すように、タンク底１２の周方向において、水抜き孔２６を設けた側と反対側のリブ２８部分には、ケース底１０との間にギャップ２９が設けられ、図１、図３に示すように、水抜き孔２６を設けた側のリブ２８部分には、短絡口３０が切り欠き状に設けられている。これにより、飲料抽出装置１は、水抜き孔２６を設けた側と反対側の隙間２２ｂからケース底１０に流れ落ちた原水が水タンク７の下を通って水抜き孔２６に流れるので、収容ケース部８から原水がより円滑に排水されるようになる。
【図面の簡単な説明】
【００２５】
【図１】この発明の最良の実施形態に係る飲料抽出装置の縦断正面図。
【図２】図１の飲料抽出装置の正面図。
【図３】図１の飲料抽出装置のタンク部の分解斜視図。
【図４】図１のIV−IV線の断面拡大図。
【図５】図１のＶ−Ｖ線の断面拡大図。
【符号の説明】
【００２６】
１  飲料抽出装置
２  タンク部
３  吐出口
４  給水路
５  電熱ヒータ
６  本体ケース
６ａ  固定座部
７  水タンク
８  収容ケース部
９  ケース側面壁
１０  ケース底
１１  導入口部材
１１ａ  弁操作部
１２  タンク底
１３  弁
１４  ボス部
１５  ボス受孔
１６  ケース上縁
１７  操作スイッチ
１８  ソケット
１９  切り欠き
１９ａ  上端
２０  天蓋
２１  タンク側面壁
２２、２２ａ、２２ｂ  隙間
２３  タンク上縁
２４  溢水部
２５  摘み
２６  水抜き孔
２７  溢水路
２８  リブ
２９  ギャップ
３０  短絡口
【図１】
2005329034.tif 000003
【図２】
2005329034.tif 000004
【図３】
2005329034.tif 000005
【図４】
2005329034.tif 000006
【図５】
2005329034.tif 000007